(57)【要約】【課題】無人中継所に設置した擬似無線装置を制御するための制御信号を送信する機能を有しない指令卓において基地局無線機の健全性を確認することができる無線通話確認装置を提供する。【解決手段】受信機１１、送信機１２およびメモリ１３を備えた擬似無線装置と制御装置２１とを無人中継所に設置する。制御装置２１は、指令卓１１０とは異なる場所に設置された監視制御卓１４０から有線を介して送信されてくる制御信号に基づいて、指令卓１１０から基地局無線機１３０および空中線を介して送信されてくる試験用音声信号を受信機１１で受信してメモリ１３に格納したのち送信機１２で空中線および基地局無線機１３０を介して指令卓１１０に送信するように受信機１１、送信機１２およびメモリ１３を制御する。【選択図】図１
2011155438.tif 000002
【特許請求の範囲】
【請求項１】
無人中継所に設置した擬似無線装置を制御するための制御信号を送信する機能を有しない指令卓（１１０）において基地局無線機（１３０）の健全性を確認するための無線通話確認装置であって、
前記擬似無線装置が、
前記指令卓から前記基地局無線機および空中線を介して送信されてくる試験用音声信号を受信するための受信機（１１）と、
該受信機で受信された前記試験用音声信号を格納するためのメモリ（１３）と、
該メモリに格納された前記試験用音声信号を読み出して、該読み出した試験用音声信号を前記空中線および前記基地局無線機を介して前記指令卓に送信するための送信機（１２）とを備え、
前記無線通話確認装置が、前記無人中継所に設置された、かつ、前記指令卓とは異なる場所に設置された監視制御卓（１４０）から有線を介して送信されてくる前記制御信号に基づいて前記受信機、前記送信機および前記メモリを制御するための制御装置（２１）を具備する、
ことを特徴とする、無線通話確認装置。
【請求項２】
前記制御装置が、
前記監視制御卓から送信されてくる受信機・メモリ動作開始指示信号に応じて前記受信機および前記メモリを動作開始させることにより、該受信機に前記試験用音声信号を受信させたのちに該メモリに格納させ、
前記監視制御卓から送信されてくる受信機動作停止・送信機動作開始指示信号に応じて前記受信機を動作停止させるとともに前記送信機を動作開始させることにより、該送信機に前記メモリに格納された試験用音声信号を読み出させたのちに前記空中線および前記基地局無線機を介して前記指令卓に送信させる、
ことを特徴とする、請求項１記載の無線通話確認装置。
【請求項３】
前記受信機および前記送信機の代わりに既存の移動無線機を用いることを特徴とする、請求項１または２記載の無線通話確認装置。
【発明の詳細な説明】
【技術分野】
【０００１】
本発明は、無線通話確認装置に関し、特に、無人中継所に設置された基地局無線機の健全性（通話可能か否か）を確認するのに好適な無線通話確認装置に関する。
【背景技術】
【０００２】
たとえば、無人中継所に設置されている基地局無線機は、装置状態を確認する機能は有しているが、通話可能か否か（すなわち、空中線を含めた送受信音声の通話品質）を確認する機能は有していない。
【０００３】
従来、基地局無線機の無線機能試験を行う方法としては、試験員が試験用移動無線機を基地局エリア内に持って行って試験を行う第１の試験方法と、基地局内に試験用移動無線機に代る擬似無線装置を設置して試験を行う第２の試験方法とがある（下記の特許文献１，２など参照）。
【先行技術文献】
【特許文献】
【０００４】
【特許文献１】特開平１０−２８０８８号公報
【特許文献２】特開平８−６５２３２号公報
【発明の概要】
【発明が解決しようとする課題】
【０００５】
しかしながら、たとえば図３に示すように無人中継所に設置されている基地局無線機１３０と集中制御装置１２０を介して接続されている指令卓１１０（営業所に設置されている。）において、上述した第２の試験方法を用いて基地局無線機１３０の健全性（通話可能か否か）を確認しようとした場合、指令卓１１０は擬似無線装置を制御するための制御信号を送信する機能を有しないため、上述した第１の試験方法を用いるしかないという問題があった。
【０００６】
本発明の目的は、無人中継所に設置した擬似無線装置を制御するための制御信号を送信する機能を有しない指令卓において基地局無線機の健全性を確認することができる無線通話確認装置を提供することにある。
【課題を解決するための手段】
【０００７】
本発明の無線通話確認装置は、無人中継所に設置した擬似無線装置を制御するための制御信号を送信する機能を有しない指令卓（１１０）において基地局無線機（１３０）の健全性を確認するための無線通話確認装置であって、前記擬似無線装置が、前記指令卓から前記基地局無線機および空中線を介して送信されてくる試験用音声信号を受信するための受信機（１１）と、該受信機で受信された前記試験用音声信号を格納するためのメモリ（１３）と、該メモリに格納された前記試験用音声信号を読み出して、該読み出した試験用音声信号を前記空中線および前記基地局無線機を介して前記指令卓に送信するための送信機（１２）とを備え、前記無線通話確認装置が、前記無人中継所に設置された、かつ、前記指令卓とは異なる場所に設置された監視制御卓（１４０）から有線を介して送信されてくる前記制御信号に基づいて前記受信機、前記送信機および前記メモリを制御するための制御装置（２１）を具備することを特徴とする。
ここで、前記制御装置が、前記監視制御卓から送信されてくる受信機・メモリ動作開始指示信号に応じて前記受信機および前記メモリを動作開始させることにより、該受信機に前記試験用音声信号を受信させたのちに該メモリに格納させ、前記監視制御卓から送信されてくる受信機動作停止・送信機動作開始指示信号に応じて前記受信機を動作停止させるとともに前記送信機を動作開始させることにより、該送信機に前記メモリに格納された試験用音声信号を読み出させたのちに前記空中線および前記基地局無線機を介して前記指令卓に送信させてもよい。
前記受信機および前記送信機の代わりに既存の移動無線機を用いてもよい。
【発明の効果】
【０００８】
本発明の無線通話確認装置は、以下に示す効果を奏する。
（１）受信機、送信機およびメモリを備えた擬似無線装置と制御装置とを無人中継所に設置し、指令卓とは異なる場所に設置された監視制御卓から有線を介して受信機、送信機およびメモリを制御するための制御信号を制御装置に送信することにより、指令卓から基地局無線機および空中線を介して送信されてくる試験用音声信号を受信機で受信してメモリに格納したのち送信機で空中線および基地局無線機を介して指令卓に送信するように制御装置によって受信機、送信機およびメモリを制御させることができるため、擬似無線装置を制御するための制御信号を送信する機能を有しない指令卓において基地局無線機の健全性を確認することができる。
（２）基地局無線機と擬似無線装置とは空中線を介して接続されているため、基地局無線機および擬似無線装置から発射される電波（空中線）を含めた基地局無線機の健全性を確認することができる。
（３）擬似無線装置は無人中継所に設置されているため、基地局無線機障害時などに試験員が擬似無線装置を基地局エリア内に持って行かなくても基地局無線機の健全性を確認することができる。
【図面の簡単な説明】
【０００９】
【図１】本発明の一実施例による無線通話確認装置の構成を示す図である。
【図２】図１に示した無線通話確認装置を用いて基地局無線機１３０の健全性を確認する無線通話確認方法について説明するためのフローチャートである。
【図３】従来技術の課題を説明するための図である。
【発明を実施するための形態】
【００１０】
上記の目的を、受信機、送信機およびメモリを備えた擬似無線装置を無人中継所に設置し、制御装置が、指令卓とは異なる場所に設置された監視制御卓から有線を介して送信されてくる制御信号に基づいて、指令卓から基地局無線機および空中線を介して送信されてくる試験用音声信号を受信機で受信してメモリに格納したのち送信機で空中線および基地局無線機を介して指令卓に送信するように受信機、送信機およびメモリを制御することにより実現した。
【実施例１】
【００１１】
以下、本発明の無線通話確認装置の実施例について図面を参照して説明する。
本発明の一実施例による無線通話確認装置は、無人中継所に設置した擬似無線装置を制御するための制御信号を送信する機能を有しない指令卓１１０において基地局無線機１３０の健全性を確認するためのものである。
【００１２】
ここで、擬似無線装置は、図１に示すように、受信機１１、送信機１２およびメモリ１３を備える。
受信機１１は、基地局無線機１３０の健全性を確認する際に指令卓１１０から集中制御装置１２０、基地局無線機１３０および空中線を介して送信されてくる試験用音声信号を受信するためのものである。
メモリ１３は、受信機１１で受信された試験用音声信号を格納するためのものである。
送信機１２は、メモリ１３に格納された試験用音声信号を読み出して、読み出した試験用音声信号を空中線、基地局無線機１３０および集中制御装置１２０を介して指令卓１１０に送信するためのものである。
【００１３】
無線通話確認装置は、基地局無線機１３０の健全性を確認する際に指令卓１１０と異なる場所（たとえば、電力所）に設置された監視制御卓１４０から有線（たとえば、固定電話線）を介して送信されてくる制御信号（後述する受信機・メモリ動作開始指示信号、受信機動作停止・送信機動作開始指示信号および送信機・メモリ動作停止指示信号など）に基づいて受信機１１、送信機１２およびメモリ１３を制御するための制御装置２１を具備する。制御装置２１は無人中継所に設置される。
【００１４】
次に、本実施例による無線通話確認装置を用いて基地局無線機１３０の健全性を確認する無線通話確認方法について、図２に示すフローチャートを参照して説明する。
指令卓１１０を操作する試験員Ａは、「基地局無線機１３０の健全性の確認を開始する」旨を、監視制御卓１４０を操作する試験員Ｂに固定電話機や携帯電話機などを用いて連絡する（ステップＳ１１）。
【００１５】
この連絡を受けた試験員Ｂは、受信機１１およびメモリ１３を動作開始させるように指示する受信機・メモリ動作開始指示信号を監視制御卓１４０から集中制御装置１２０を介して制御装置２１に送信したのち、「受信機・メモリ動作開始指示信号を送信した」旨を固定電話機や携帯電話機などを用いて試験員Ａに連絡する。
制御装置２１は、受信機・メモリ動作開始指示信号に応じて受信機１１およびメモリ１３を動作開始させる。（以上、ステップＳ１２）。
【００１６】
この連絡を受けた試験員Ａは、指令卓１１０のマイクに向かって試験用音声を発することにより、試験用音声信号を指令卓１１０から集中制御装置１２０を介して基地局無線機１３０に送信する。試験用音声信号は、基地局無線機１３０によって電波に変換されたのち、基地局アンテナから空中線に発射される。
基地局アンテナから空中線に発射された電波は、擬似無線装置アンテナを介して受信機１１によって受信されて試験用音声信号に復調され、復調された試験用音声信号が受信機１１によってメモリ１３に格納される（以上、ステップＳ１３）。
【００１７】
試験員Ａは、試験用音声を発し終わると、「試験用音声を発し終わった」旨を固定電話機や携帯電話機などを用いて試験員Ｂに連絡する。
この連絡を受けた試験員Ｂは、受信機１１を動作停止させるとともに送信機１２を動作開始させるように指示する受信機動作停止・送信機動作開始指示信号を監視制御卓１４０から集中制御装置１２０を介して制御装置２１に送信する（以上、ステップＳ１４）。
【００１８】
制御装置２１は、受信機動作停止・送信機動作開始指示信号に応じて、受信機１１を動作停止させるとともに送信機１２を動作開始させる（ステップＳ１５）。
これにより、受信機１１は動作停止する。また、送信機１２は、メモリ１３から試験用音声信号を読み出し、読み出した試験用音声信号を電波に変換しのち、擬似無線装置アンテナから空中線に発射する。
【００１９】
空中線に発射された電波は、基地局アンテナを介して基地局無線機１３０によって受信されたのちに試験用音声信号を変換される。この試験用音声信号は、基地局無線機１３０から集中制御装置１２０を介して指令卓１１０に送信されたのち、指令卓１１０によって試験用音声に変換されたのちスピーカなどから出力される。試験員Ａは、指令卓１１０のスピーカなどから出力される試験用音声の品質を確認することにより、基地局無線機１３０の健全性を確認する（ステップＳ１６）。
【００２０】
試験員Ａは、基地局無線機１３０の健全性を確認し終わると、「基地局無線機１３０の健全性を確認し終わった」旨を固定電話機や携帯電話機などを用いて試験員Ｂに連絡する。
この連絡を受けた試験員Ｂは、送信機１１およびメモリ１３を動作停止させるように指示する送信機・メモリ動作停止指示信号を監視制御卓１４０から集中制御装置１２０を介して制御装置２１に送信する（以上、ステップＳ１７）。
【００２１】
制御装置２１は、送信機・メモリ動作停止指示信号に応じて、送信機１２およびメモリ１３を動作停止させる。これにより、送信機１２およびメモリ１３が動作停止する（ステップＳ１８）。
【００２２】
以上の説明では、受信機１１、送信機１２およびメモリ１３を備えた擬似無線装置を用いたが、受信機１１および送信機１２の代わりに既存の移動無線機（車載用携帯電話機および携帯電話機など）を用いてもよい。
【符号の説明】
【００２３】
１１  受信機
１２  送信機
１３  メモリ
２１  制御装置
１１０  指令卓
１２０  集中制御装置
１３０  基地局無線機
１４０  監視制御卓
Ａ，Ｂ  試験員
Ｓ１１〜Ｓ１８  ステップ
【図１】
2011155438.tif 000003
【図２】
2011155438.tif 000004
【図３】
2011155438.tif 000005